(57)【要約】      （修正有）【課題】非固定式イメージスキャナで撮影された画像が実際の寸法となるように補正できるようにする。【解決手段】背景分離情報を有する所定のサイズの帳票載置領域を持つ帳票載置台と、帳票載置台の画像を取得する画像取得部と、前記背景分離情報を検出して、画像上の帳票載置領域を求める帳票載置領域検出部と、前記背景分離情報のサイズ情報を元に、帳票載置台の画像を前記サイズ情報に合うように補正する画像補正部とを備えた。【選択図】 図１
2007235382.tif 000002
【特許請求の範囲】
【請求項１】
背景分離情報を有する所定のサイズの帳票載置領域を持つ帳票載置台と、
帳票載置台の画像を取得する画像取得部と、
前記背景分離情報を検出して、画像上の帳票載置領域を求める帳票載置領域検出部と、
前記背景分離情報のサイズ情報を元に、帳票載置台の画像を前記サイズ情報に合うように補正する画像補正部と、
を備えた帳票画像取得システム。
【請求項２】
前記帳票載置台は、片面が黒色状でもう片面が中間色状である板形状に形成され、画像取得部とは分離され移動可能な台であり、
前記帳票載置領域検出部が帳票載置領域を検出できなかったとき、
帳票載置台を裏返すことを要求する、
請求項１に記載の帳票画像取得システム。
【請求項３】
帳票載置台を裏返すことを要求した後に、
前記帳票載置領域検出部が再び帳票載置領域を検出できなかったとき、
帳票載置台を裏返すとともに、帳票載置台の置き場所を変更することを要求する、
請求項２に記載の帳票画像取得システム。
【請求項４】
帳票載置領域検出部は、画像取得部によって取得した画像のエッジ検出を行い、検出されたエッジが形成する四辺形のうち最も外側の四辺形が囲む部分を帳票載置領域として検出し、検出した帳票載置領域の色が黒色あるいは中間色で無い場合に検出失敗とする、
請求項２または３に記載の帳票画像取得システム。
【請求項５】
前記帳票載置台は黒色状の板状に形成され、
前記帳票載置領域は帳票載置台の所定サイズ内側にあって、前期背景分離情報は前記帳票載置領域の外周部分に所定幅を持って設けられた白色状の領域である、
請求項１に記載の帳票画像取得システム。
【請求項６】
帳票載置領域検出部は、画像取得部によって取得した画像のエッジ検出を行い、検出されたエッジが形成する四辺形のうち、
画像の外周部分が黒色の場合最も外側の四辺形が囲む部分を帳票載置領域として検出し、
画像の外周部分が白色の場合最も外側から一つ内側の四辺形が囲む部分を帳票載置領域として検出する、
請求項５に記載の帳票画像取得システム。
【発明の詳細な説明】
【技術分野】
【０００１】
本発明は、デジタルカメラ等の非固定式イメージスキャナ装置で撮影した画像の、撮影角度に因る歪みを補正する画像取得システムに関するものである。
【背景技術】
【０００２】
近年、帳票等の枝葉類の画像取得に対しても、デジタルカメラ等の非固定式イメージスキャナによる画像取得のニーズが高まっている。デジタルカメラには、フラットベッドスキャナやロットスキャナと比較して、携帯性、可搬性があるという特徴があるため、例えば金融機関や保険会社等の渉外員が、客先に出向いて帳票等の画像の取得を行うといった用途に好適である。
非固定式イメージスキャナを用いて帳票の画像を取得する際、被写体に対して垂直方向から画像取得しないと、例えば帳票の上辺と下辺とに距離差が生じ、それによって画像に歪みが生じる。代表的なものは台形歪みである。
従来の画像取得システムにおいて、画像の歪みの補正は画像歪み補正装置内にて、撮影された画像中の紙葉類の輪郭から4つの頂点を検出し、検出した頂点から非固定式イメージスキャナの位置姿勢と撮影されたときの枝葉類の３次元空間中の４つの頂点を推定し、これらをもとに任意の位置から撮影されたことによる台形状等に歪んだ枝葉類の画像を補正している（例えば、特許文献１参照）。
【特許文献１】特開２００４−４０３９５号公報（第８頁、段落００４７−段落００４９、第２図）
【発明の開示】
【発明が解決しようとする課題】
【０００３】
しかしながら、上述した従来の技術においては、画像中の紙葉類の頂点から非固定式イメージスキャナの位置姿勢と撮影されたときの紙葉類の３次元空間中の頂点を推定しているので、補正した画像中の紙葉類は実際の寸法にならないという問題がある。
このため、金融機関において印鑑照合を行う場合に印鑑が押印された紙葉類を非固定式イメージスキャナで撮影し、その画像の歪みを補正しても補正された画像自体が実際の寸法と異なるため画像中の印鑑を実際の印鑑と照合することができず、このような照合処理を要する取引に非固定式イメージスキャナを利用することができないという問題がある。
【課題を解決するための手段】
【０００４】
このような課題を解決するために、本発明の帳票画像取得システムは以下の構成を備える。
＜構成１＞
背景分離情報を有する所定のサイズの帳票載置領域を持つ帳票載置台と、帳票載置台の画像を取得する画像取得部と、前記背景分離情報を検出して、画像上の帳票載置領域を求める帳票載置領域検出部と、前記背景分離情報のサイズ情報を元に、帳票載置台の画像を前記サイズ情報に合うように補正する画像補正部と、を備えた。
＜構成２＞
前記帳票載置台は、片面が黒色状でもう片面が中間色状である板形状に形成され、画像取得部とは分離され移動可能な台であり、前記帳票載置領域検出部が帳票載置領域を検出できなかったとき、帳票載置台を裏返すことを要求する。
＜構成３＞
帳票載置台を裏返すことを要求した後に、前記帳票載置領域検出部が再び帳票載置領域を検出できなかったとき、帳票載置台を裏返すとともに、帳票載置台の置き場所を変更することを要求する。
＜構成４＞
帳票載置領域検出部は、画像取得部によって取得した画像のエッジ検出を行い、検出されたエッジが形成する四辺形のうち最も外側の四辺形が囲む部分を帳票載置領域として検出し、検出した帳票載置領域の色が黒色あるいは中間色で無い場合に検出失敗とする。
＜構成５＞
前記帳票載置台は黒色状の板状に形成され、
前記帳票載置領域は帳票載置台の所定サイズ内側にあって、前期背景分離情報は前記帳票載置領域の外周部分に所定幅を持って設けられた白色状の領域である。
＜構成６＞
帳票載置領域検出部は、画像取得部によって取得した画像のエッジ検出を行い、検出されたエッジが形成する四辺形のうち、
画像の外周部分が黒色の場合最も外側の四辺形が囲む部分を帳票載置領域として検出し、
画像の外周部分が白色の場合最も外側から一つ内側の四辺形が囲む部分を帳票載置領域として検出する。
【発明の効果】
【０００５】
これにより、本発明は、非固定式イメージスキャナで撮影された画像が実際の寸法となるように補正することができ、照合する対象が実際の寸法であることを要する照合処理等に非固定式イメージスキャナを利用することができるという効果が得られる。
【発明を実施するための最良の形態】
【０００６】
本発明の実施例について、以下のとおり説明する。
【実施例１】
【０００７】
＜実施例１の構成＞
図１は、本発明のシステム構成図である。
【０００８】
本画像取得システムでは、帳票載置台としての帳票マット１に帳票２を載置して、画像入力部としてのデジタルカメラ３によって画像取得し、取得した画像について画像処理装置４にて歪み補正等の処理を行い、帳票画像５を出力する。
【０００９】
帳票マット１は、デジタルカメラ３で帳票の画像を取得する際に、帳票を載置するためのマットであり、矩形の板形状の台である。オペレータがデジタルカメラ等とともに持ち運んで、客先のテーブル等に設置して使用する。材質は硬質のプラスチック等または軟質のゴム等が使用できるが、帳票の画像の補正の制度を高めるためには、極力伸縮がない材質であることが望ましい。
【００１０】
図２は、本実施例にて使用する帳票マット（以降、帳票マット１ａ）の外観図である。帳票マット１ａはイメージ取得時に黒色を呈する黒色状（暗色）の部分と、イメージ取得時に白色を呈する白色上（明色）の部分とを有している。ここで帳票マット背景部１１ａは、黒色の背景部分である。ここでは、それぞれ黒色、白色と呼ぶ。なお、図中黒色部分を網掛けで表現しているが、図面の見易さを考慮したものであり、実際に帳票マット１ａの黒色部分が網掛けになるわけではない。これは他の図面でも同様である。
【００１１】
帳票載置領域境界部１２ａは、前記帳票マット背景部１１ａと区別するために白色で設けられた領域である。帳票載置領域境界部１２ａは、画像上の背景分離情報として機能する。図に示すように、帳票載置領域境界部１２ａは、所定の幅を持つ枠状で存在する。帳票載置領域１３ａは、前記帳票載置領域境界部１２ａの内側に設けられた黒色の領域であり、オペレータはこの領域に帳票２を載置して画像取得を行う。従って、帳票載置領域１３ａは、使用する帳票よりも大きいサイズとなるように設けられる。
【００１２】
また、帳票載置領域境界部１２ａで囲まれた帳票載置領域のサイズは、帳票載置領域サイズ情報４４３として記憶される。帳票載置領域サイズ情報４４３には、具体的には帳票載置領域１３ａ（すなわち帳票載置領域境界部１２ａの内側）の四辺の交点である角の、実際の寸法における座標情報が記憶されている。すなわち、これらの座標に合わせて取得画像を変形することにより、実寸の画像を得ることができる。なお、帳票載置領域境界部１２ａの内側は、帳票載置領域と一致する。
【００１３】
帳票載置領域サイズ情報４４３は、バーコード１４ａとして帳票マットの背景部分に記録されており、画像の補正処理に先立って、画像から抽出される。これにより、帳票マットのサイズが変更された場合でも、システムを変更することなく対応することができる。
帳票２は、各種の取引等に応じて顧客が記入して押印した、画像取得すべき帳票である。
デジタルカメラ３は、画像入力部として働く。
【００１４】
画像処理装置４は、帳票マット１ａを含む画像を受け入れて、歪み補正を行い、帳票部分を切り出して帳票画像５出力する。画像処理装置４は、デジタルカメラ３とインターフェースを介して接続されている。接続インターフェースには、例えばＵＳＢやＩＥＥＥ１３９４の有線インターフェースやＢｌｕｅｔｏｏｔｈ等の無線インターフェースが好適であるが、デジタルカメラ３の制御と画像の取得に十分な機能および速度性能があればいかなるものであっても良い。
【００１５】
画像処理装置４は、具体的にはデジタルカメラ３を接続するインターフェースを備えたモバイルＰＣ等をここでは想定するが、デジタルカメラに内臓されていても良いし、逆に画像処理装置がデジタルカメラを内蔵していても構わない。
【００１６】
次に、画像処理装置４の詳細について説明する。
図３は、画像処理装置４の機能ブロック図である。
【００１７】
制御部４１は、装置全体の構成を制御する処理部である。
【００１８】
帳票載置領域検出部４２は、取得画像の帳票マット１ａ上の帳票載置領域境界部１２ａを検出することにより、帳票載置領域情報を取得し、帳票載置領域１３ａを検出する。この検出処理については後述する。
【００１９】
歪み補正処理部４３は、帳票載置領域サイズ情報４４３を取得し、取得画像の帳票載置領域情報をもとに、取得画像の歪み補正を行う。
【００２０】
記憶部４４は、画像処理装置４のメモリあるいはハードディスクからなる記憶装置である。それぞれの情報の記憶にメモリを用いるかハードディスクを用いるかは適宜選択されるが、ここでは区別しない。
【００２１】
入力画像メモリ４４１は、取得画像を一時的に記憶する領域である。
【００２２】
出力画像メモリ４４２は、補正した画像から帳票部分を切り出した帳票画像５を記憶する領域である。
【００２３】
帳票載置領域サイズ情報４４３は、前述の通り、帳票載置領域１３ａのサイズ情報であり、具体的には角の座標情報である。
本実施例においては、バーコード１４ａを読み取ることによって得た値が画像取得の都度格納される。なお、使用する帳票マット１ａが常に同一サイズのものであれば、予め所定の値を記憶しておくことにしても良い。
【００２４】
表示部４５は、帳票画像５や、オペレータへのメッセージ等を表示する。
【００２５】
操作入力部４６は、オペレータの操作を受け入れるためのものであり、キーボードやシャッターボタン等が該当する。
【００２６】
通信部４７は、図示しないセンタ等のサーバと無線通信を行うための処理部であり、主に帳票画像５の送信と、センタでの確認結果の受信に用いられる。
【００２７】
＜実施例１の動作＞
次に、本実施例の動作を説明する。
【００２８】
図４は、本実施例の処理のフローチャートである。
【００２９】
Ｓ１０１：まずオペレータは、図５のように、帳票マット１ａの帳票載置領域１３ａに、周囲の帳票載置領域境界部１２ａ触れないように読取り対象の帳票２をセットする。そしてデジタルカメラ３を用いて、帳票マット１ａ全体が納まるように画像を取得する。このとき、オペレータは、帳票マット１ａとデジタルカメラの距離や撮影角度を特に考慮しなくともよい。取得した画像は、画像処理装置４に転送される。
【００３０】
Ｓ１０２：帳票載置領域検出部４２は、まず画像からバーコード１４ａを検出して、帳票載置領域サイズ情報４４３を取得して記憶部に記憶する。
帳票載置領域検出部４２は、取得した画像に対して、エッジ検出処理を行い、画像上で明暗差の大きな部分をエッジとして検出することによって、帳票マットの外周、帳票載置領域境界部１２ａ、帳票載置領域１３ａ、帳票２の外周が検出される。なお、それらはハフ（Ｈｏｕｇｈ）変換によって直線近似されるものとする。
【００３１】
ここで、図６は、帳票マット１ａを置いた場所の背景色による取得画像の例である。
図６（ａ）は背景色が明るい場合すなわち白色状の場合の例である。この場合、背景と帳票マット１ａは明度差があるため、帳票マット１ａの外周もエッジ検出される。従って、図６（ａ）のように、帳票マットの外周、帳票載置領域境界部１２ａ、帳票載置領域１３ａ、帳票２の外周の計４つのエッジが検出される。
【００３２】
帳票載置領域検出部４２は取得画像の外側部分（例えば画像の外周から１０ピクセル分内側）の画素を調べ、背景が白色であると判断したならば、外側から２つ目のエッジを帳票載置領域境界部１２ａの外周として検出する。併せて、その内側のエッジを帳票載置領域境界部１２ａの内周、すなわち帳票載置領域１３ａの外周として検出する。
【００３３】
図６（ｂ）は背景色が暗い場合すなわち黒色状の場合の例である。この場合、背景と帳票マット１ａは明度差が殆どないため、帳票マット１ａの外周はエッジとして検出されない。従って、図６（ｂ）のように、帳票載置領域境界部１２ａ、帳票載置領域１３ａ、帳票２の外周の計３つのエッジが検出される。
【００３４】
帳票載置領域検出部４２は同様にして取得画像の外側部分の画素を調べ、背景が黒色であると判断したならば、外側から１つ目のエッジを帳票載置領域境界部１２ａの外周として検出する。併せて、その内側のエッジを帳票載置領域境界部１２ａの内周、すなわち帳票載置領域１３ａの外周として検出する。
【００３５】
あるいは、エッジの外側が黒色で内側が白色なるエッジのうち、最も外側のエッジを帳票載置領域境界部１２ａの外周として検出し、その内側のエッジを帳票載置領域１３ａの外周として検出するようにしても良い。
【００３６】
これらのエッジの情報から各エッジを結んだ頂点の座標情報を求め、画像から検出した帳票載置領域情報として、取得した画像とともに歪み補正処理部４３に渡される。
【００３７】
Ｓ１０３：歪み補正処理部４３は、受け取った帳票載置領域情報をもとに画像上の帳票載置領域の角の座標を特定し、適宜回転や拡大縮小等を行って、帳票載置領域サイズ情報４４３に合うように変形する。これによって、取得した画像は実寸に変換されるので、それにともなって帳票２も実寸に変形されている。そして、Ｓ１０２と同様にエッジ検出等を行うことによって帳票部分を検出して、帳票画像５を取得する。帳票画像５中の印影は同じく実寸になっているので、印鑑照合等の処理に使用できる。
【００３８】
図７は、歪み補正を行った例である。歪み補正後の画像には、大きさを分かりやすくするために帳票載置領域１３ａ部分も含めてある。
【００３９】
図８は、同じ帳票マット１ａを用いて、小さい帳票をおいた場合の例である。帳票載置領域境界部１２ａのサイズを元に画像を変形しているので、小さい帳票も正しいサイズで変形される。
【００４０】
図９は、図７と同サイズの帳票で、撮影距離が遠かった場合の例である。帳票載置領域境界部１２ａのサイズを元に画像を変形しているので、離れて撮影した場合であっても、正しいサイズで変形される。
【００４１】
なお、図５〜図９において、バーコードは図中省略している。
【００４２】
このようにして得られた帳票画像は、通信部４７によって金融機関のセンタ等に送付され、センタの検証端末で優先処理された後、印鑑照合結果が画像処理装置４に返信される。オペレータは、印鑑照合結果がＯＫであったことを確認して、取引を成立させ、客先から店舗に戻るか、他の顧客を訪問することができる。
【００４３】
以上、本実施例によれば、帳票マットを置いた場所の色が黒色を呈するような暗い色であった場合でも、白色を呈するような明るい色であった場合でも、帳票載置領域境界部１２ａによって正しく帳票載置領域を検出でき、帳票載置領域の実寸のサイズ情報に合うように画像を変形することによって、デジタルカメラ等の非固定式イメージスキャナ装置で撮影した画像であっても、実寸の帳票画像を得ることができるようになる。
【実施例２】
【００４４】
次に本発明の第２の実施例について説明する。
【００４５】
＜実施例２の構成＞
実施例２のシステム構成は、実施例１と同様であり、図１によって示されるが、以下の点において実施例１と異なっている。
【００４６】
帳票マットは、材質や形状等は実施例１と同様であるが、図１０の外観図に示すとおり、両面を使用する。
【００４７】
図１０（ａ）は、帳票マット１ａ−２の第１の面（以降帳票マット１ｂ）であり、イメージ取得時に黒色を呈する黒色状（暗色）の材質で形成されている。
図１０（ｂ）は、帳票マット１ａ−２の第２の面（以降帳票マット１ｃ）であり、イメージ取得時に中間色を呈する中間色状の材質で形成されている。
【００４８】
帳票マット１ｂ、帳票マット１ｃにおいては、全面が帳票載置領域（以降、帳票載置領域１３ｂ、帳票載置領域１３ｃ）に相当する。また、帳票マットの全面が、背景と異なる色を呈することにより、帳票マット１ｂあるいは帳票マット１ｃそのもの（特に外周部）が、画像上の背景分離情報として機能する。
【００４９】
なお、それぞれの面には、実施例１と同じく帳票載置領域サイズ情報４４３は、バーコード１４ｂおよびバーコード１４ｃとして帳票マットのそれぞれの面に記録されている。
また、帳票載置領域検出部４２は、本実施例においては以下のような処理を行う。
【００５０】
帳票載置領域検出部４２は、取得画像の帳票マット１ｂあるいは帳票マット１ｃの外周を直接検出して、帳票載置領域１３ａを検出し、帳票載置領域情報を取得する。
なお、帳票マットの外周が検出できなかった場合には、帳票マットを裏返すようにオペレータに指示メッセージを提示する。この検出処理については後述する。
【００５１】
＜実施例２の動作＞
次に、本実施例の動作を説明する。
【００５２】
図１１は、本実施例の処理のフローチャートである。
【００５３】
Ｓ２０１：まずオペレータは、帳票マット１ｂの帳票載置領域１３ｂに、バーコード１４ｂを隠さないように読取り対象の帳票２をセットする。そしてデジタルカメラ３を用いて、帳票マット１ａ全体が納まるように画像を取得する。このとき、オペレータは、帳票マット１ａとデジタルカメラの距離や撮影角度を特に考慮しなくともよい。取得した画像は、画像処理装置４に転送される。
【００５４】
Ｓ２０２：帳票載置領域検出部４２は、まず画像からバーコード１４ｂを検出して、帳票載置領域サイズ情報４４３を取得して記憶部に記憶する。このとき、バーコード１４ｂの位置情報も記憶しておく。
【００５５】
帳票載置領域検出部４２は、取得した画像に対して、エッジ検出処理を行い、画像上で明暗差の大きな部分をエッジとして検出することによって、帳票マットの外周すなわち帳票載置領域１３ｂ、帳票２の外周が検出される。このとき、検出されたエッジのうち最も外側のエッジを帳票マットの外周として検出するものとする。なお、それらはハフ（Ｈｏｕｇｈ）変換によって直線近似されるものとする。
【００５６】
ここで、図１２（ａ）は、帳票マット１ｂを木目調の場所に置いた場合の取得画像の例である。木目調の背景は、図のように黒と白の部分が混在した状態となるため、エッジ検出を行うと（ｂ）のようになる。すなわち、木目の黒部分と帳票マット１ｂの黒部分が同じく黒色を呈するために帳票マットの外周が連続したエッジとして検出できない。
このとき、帳票２の外周についてはエッジが検出されているのであるが、前述したバーコード１４ｂの検出位置が外側にあることによって、帳票マット１ｂの外周でないことが確認できる。
【００５７】
この場合、後述のステップに従って、帳票マット１ｂを裏返して帳票マット１ｃを使用して取得した画像が再度入力されることになる。このときの画像を図１３に示す。
図１３（ａ）は、中間色である帳票マット１ｃを使用して取得した画像の例である。このように、帳票マット１ｃは背景の黒と白のいずれとも明度差があるために、エッジ検出を行うと、図１３（ｂ）のように帳票マット１ｃすなわち帳票載置領域１３ｃの外周について連続したエッジを検出することができる。また、前述と同様に検出したバーコード１４ｃの検出位置が検出したエッジの内側にあることを確認して、検出されたのが帳票マット１ｃの外周であることを確認できる。
【００５８】
あるいは、バーコード位置を用いずに、検出した最も外側のエッジに囲まれた部分のうち、エッジの内側（例えばエッジから１０ピクセル）の領域の画素が黒色あるいは中間色でない場合（例えば白色の場合）に、帳票マットの外周が検出できなかったと判断しても良い。
【００５９】
Ｓ２０３：帳票載置領域が検出できた場合は、Ｓ２０４に移行し、歪み補正処理を行う。検出できなかった場合は、Ｓ２０５に移行する。
【００６０】
Ｓ２０４：歪み補正処理は、実施例１におけるＳ１０３と同様であるため省略する。
【００６１】
Ｓ２０５：帳票載置領域の検出処理に失敗したのが、２回目であるか否かを確認する。最初の回であればＳ２０６へ、２回目であればＳ２０７へ移行する。
【００６２】
Ｓ２０６：制御部４１は、オペレータに対し、帳票マットを裏返す旨の指示メッセージを表示部４５に表示する。これにより、オペレータは、帳票マット１ｂを裏返して、帳票マット１ｃを使用して、Ｓ２０１の操作からやり直す。
【００６３】
Ｓ２０７：帳票載置領域の検出失敗が２回目であれば、再度裏返しても同じ結果となるため、制御部４１は帳票マットの検出ができない背景色であると判断し、帳票マットを設置する場所を変更して、かつ帳票マットを裏返すよう、オペレータに対し、指示メッセージを表示部４５に表示する。
【００６４】
このようにして得られた帳票画像は、通信部４７によって金融機関のセンタ等に送付され、センタの検証端末で優先処理された後、印鑑照合結果が画像処理装置４に返信される。オペレータは、印鑑照合結果がＯＫであったことを確認して、取引を成立させ、客先から店舗に戻るか、他の顧客を訪問することができる。
【００６５】
以上、本実施例によれば、帳票マットを置いた場所の色が木目調のような黒色を呈するような暗い色と、白色を呈するような明るい色が混在する状態であった場合でも、帳票マットの両面がそれぞれ黒色、中間色となる帳票マットを用いて、帳票マットの外周が検出できない場合に帳票マットの裏返しを指示することによって、帳票マットの外周すなわち帳票載置領域を検出できるようにし、帳票載置領域の実寸のサイズ情報に合うように画像を変形することによって、デジタルカメラ等の非固定式イメージスキャナ装置で撮影した画像であっても、実寸の帳票画像を得ることができるようになる。
【００６６】
なお、最初に使用する面は、帳票マット１ｂであっても帳票マット１ｃであっても構わない。帳票マット１ｃを最初に用いた場合には、帳票マット１ｃによって同様な処理が最初に行われる。オペレータはどちらの面を置いたとしても、エッジ検出ができない場合には、帳票マットを裏返すよう指示を受けるので、どちらを先に使用するかを厳密に考慮する必要がない。
【００６７】
なお、これらの実施例において、撮影距離が大きくなるに従って、補正後の画像の解像度が低くなってしまうため、帳票載置領域検出部４２から渡された帳票載置領域情報に含まれる座標間の距離が一定以上狭い場合には、警告を発して画像の再取得を求めるようにしても良い。
【図面の簡単な説明】
【００６８】
【図１】システムの構成
【図２】実施例１の帳票マット
【図３】画像処理装置の機能ブロック図
【図４】実施例１の処理フロー
【図５】実施例１の帳票の載置状態
【図６】実施例１のエッジ検出状態
【図７】実施例１の歪み補正例
【図８】実施例１の歪み補正例
【図９】実施例１の歪み補正例
【図１０】実施例２の帳票マット
【図１１】実施例２の処理フロー
【図１２】実施例２のエッジ検出状態
【図１３】実施例２のエッジ検出状態
【符号の説明】
【００６９】
１      帳票マット
１１ａ  帳票マット背景部
１２ａ  帳票載置領域境界部
１３ａ  帳票載置領域
２      帳票
３      デジタルカメラ
４      画像処理装置
４１    制御部
４２    帳票載置領域検出部
４３    歪み補正処理部
４４    記憶部
４４１  入力画像メモリ
４４２  出力画像メモリ
４４３  帳票載置領域サイズ情報
４５    表示部
４６    操作入力部
４７    通信部
５      帳票画像
【図１】
2007235382.tif 000003
【図２】
2007235382.tif 000004
【図３】
2007235382.tif 000005
【図４】
2007235382.tif 000006
【図５】
2007235382.tif 000007
【図６】
2007235382.tif 000008
【図７】
2007235382.tif 000009
【図８】
2007235382.tif 000010
【図９】
2007235382.tif 000011
【図１０】
2007235382.tif 000012
【図１１】
2007235382.tif 000013
【図１２】
2007235382.tif 000014
【図１３】
2007235382.tif 000015